(57)【特許請求の範囲】
【請求項１】
洋風便器本体に設けられ、洗浄水により人体の局部を洗浄可能な局部洗浄機構と、外部より洗浄水を供給する水道管に直結され、該水道管と該局部洗浄装置とを接続する給水機構とを備え、該局部洗浄機構が該水道管から該給水機構を経て供給される該洗浄水を貯留しつつ加熱可能な温水タンクを有する局部洗浄装置において、
前記給水機構は、一端が前記水道管に接続され、他端が洗浄水により前記洋風便器本体を洗浄可能な便器洗浄機構に接続される主管と、該主管から分岐された枝管と、該枝管が下方に接続され、同じく下方が前記温水タンクの底部に接続される給水装置とからなり、
該給水装置は、給水本体と、該給水本体から該温水タンクに向かって突出する管部とを有し、
該給水本体内には、該枝管と接続され、電磁弁に連通された後、流量調整弁に接続され、該管部内を直進する連通路が形成され、
該管部は該温水タンクの底部に形成された挿入口に挿入され、該連通路が水抜き用に開閉可能であることを特徴とする局部洗浄装置。
【発明の詳細な説明】
【０００１】
【発明が属する技術分野】
本発明は局部洗浄装置に関する。
【０００２】
【従来の技術】
従来、洋風便器本体に設けられ、人体の局部を洗浄可能な局部洗浄機構と、外部より洗浄水を供給する水道管に直結され、水道管と局部洗浄機構とを接続する給水機構とを備えた局部洗浄装置が知られている。
【０００３】
ここで、局部洗浄機構は洗浄水を貯留しつつ加熱可能な温水タンクを有する。給水機構は、電磁弁及び流量調整弁を内蔵することにより、水道管から供給される洗浄水をこの温水タンクに適宜補充可能に構成されており、温水タンク内の温水はこうして補充される洗浄水により局部洗浄機構のノズルから噴出されるようになっている。
【０００４】
そして、この局部洗浄装置では、温水タンクの底部に水抜き用の開口が開閉可能に設けられており、その開口を開くことにより、温水タンク内及びこれより下流側のノズル等の水路内の洗浄水を水抜きすることが可能になっている。これにより、寒冷地等の低温条件下において、使用しない状態が継続されるような場合には、これらの内部における洗浄水の凍結を防止し、次の好適な使用を可能としている。
【０００５】
【発明が解決しようとする課題】
しかし、上記従来の局部洗浄装置では、温水タンクに水抜き用の開口が設けられていたため、温水タンクの構造が複雑化し、製造コストの高騰化を生じていた。
【０００６】
本発明は、上記従来の実情に鑑みてなされたものであって、製造コストの低廉化を実現可能な局部洗浄装置を提供することを解決すべき課題としている。
【０００７】
【課題を解決するための手段】
本発明の局部洗浄装置は、洋風便器本体に設けられ、洗浄水により人体の局部を洗浄可能な局部洗浄機構と、外部より洗浄水を供給する水道管に直結され、該水道管と該局部洗浄装置とを接続する給水機構とを備え、該局部洗浄機構が該水道管から該給水機構を経て供給される該洗浄水を貯留しつつ加熱可能な温水タンクを有する局部洗浄装置において、
【０００８】
前記給水機構は、一端が前記水道管に接続され、他端が洗浄水により前記洋風便器本体を洗浄可能な便器洗浄機構に接続される主管と、該主管から分岐された枝管と、該枝管が下方に接続され、同じく下方が前記温水タンクの底部に接続される給水装置とからなり、
該給水装置は、給水本体と、該給水本体から該温水タンクに向かって突出する管部とを有し、
該給水本体内には、該枝管と接続され、電磁弁に連通された後、流量調整弁に接続され、該管部内を直進する連通路が形成され、
該管部は該温水タンクの底部に形成された挿入口に挿入され、該連通路に水抜き用に開閉可能に設けられていることを特徴とする。
【０００９】
本発明の局部洗浄装置では、給水機構の連通路が水抜き用に開閉可能であるため、温水タンクには水抜き用の開口を設ける必要がなくなり、温水タンクの構造が簡素化し、製造コストの低廉化を実現できる。
【００１０】
もっとも、こうして給水機構の連通路を水抜き用に開閉可能とする場合、給水機構自体の構造が従来よりも複雑化することは否めない。しかし、給水機構は、水道管から供給される洗浄水を温水タンクに適宜補充すべく、電磁弁及び流量調整弁を内蔵して元々複雑な構造をしている。このため、この給水機構の連通路を開閉可能にするとしてもさほどのコストアップを生じない。一方、温水タンクの開口を省略することにより大きなコストダウンが可能である。
【００１１】
したがって、本発明の局部洗浄装置は製造コストの低廉化を実現できる。
【００１２】
【発明の実施の形態】
以下、本発明を具体化した実施形態を図面を参照しつつ説明する。
【００１３】
図１に示すように、実施形態の局部洗浄装置及び便器洗浄装置であるシャワートイレ２は、陶磁器製の洋風便器本体１に取り付けられ、洋風水洗式便器を構成する。
【００１４】
このシャワートイレ２は、図２にも示すように、フロントベースプレート２ａと、このフロントベースプレート２ａ上に固定されたノズル等の局部洗浄機構２ｂと、リアベースプレート２ｃと、このリアベースプレート２ｃ上に固定された局部洗浄機構２ｂの残部を構成する温水タンク２ｄと、リアベースプレート２ｃ上に固定されたバルブ等の便器洗浄機構２ｅと、リアベースプレート２ｃに固定され、温水タンク２ｄ及び便器洗浄機構２ｅに洗浄水を供給可能な給水機構２ｆと、リアベースプレート２ｃ上に固定され、フロントベースプレート２ａをリアベースプレート２ｃに対して昇降可能に設ける図示しない昇降機構と、リアベースプレート２ｃの水平方向の全周囲に立設され、温水タンク２ｄ、便器洗浄機構２ｅ及び昇降機構を囲包する隠蔽部材２ｇと、これら局部洗浄機構２ｂ等を内装するアッパーカバー２ｈ及びアンダーカバー２ｉと、アッパーカバー２ｈに揺動可能に設けられた暖房便座２ｊと、アッパーカバー２ｈに揺動可能に設けられた便蓋２ｋとを有している。
【００１５】
温水タンク２ｄは図示しないヒータ及びサーモスタットを有しており、洗浄水を貯留しつつ加熱可能になっている。給水機構２ｆは、外部より洗浄水を供給する図示しない水道管にフレキシブルホース３により一端がクリップ６により接続され、他端が便器洗浄機構２ｅに接続された主管２１と、主管２１から分岐された枝管２２と、枝管２２が下方に接続され、同じく下方が温水タンク２ｄの底部に接続された給水装置２３とからなる。
【００１６】
給水装置２３は、図３に示すように、給水本体２３ａと、給水本体２３ａから温水タンク２ｄに向かって水平に突出する管部２３ｂとを有している。給水本体２３ａ内には、図４に示すように、電磁弁２５、流量調整弁２６及び図示しないストレーナが内蔵されている。また、この給水本体２３ａ内には枝管２２と接続される連通路２４が形成され、連通路２４はストレーナを介して電磁弁２５に連通された後、流量調整弁２６に接続され、管部２３ｂ内を直進している。管部２３ｂは、図５に示すように、Ｏリング２７を介して温水タンク２ｄの底部に形成された挿入口２８に挿入されている。
【００１７】
また、この給水装置２３は、図３及び図４に示すように、給水本体２３ａと管部２３ｂとの境界近傍に水抜きキャップ２３ｃが螺合されており、この水抜きキャップ２３ｃを外せば連通路２４が水抜き用に開かれることとなる。なお、給水装置２３の下端にはアンダーカバー２ｉの下面に突出してストレーナキャップ２３ｄが螺合されており、ストレーナキャップ２３ｄを外すことによりストレーナを取り出すことが可能になっている。
【００１８】
以上のように構成されたシャワートイレ２が設けられた洋風水洗式便器では、シャワートイレ２の局部洗浄機構２ｂにより、暖房便座２ｊを介して着座した人の局部を洗浄可能である。この際、給水装置２３は水道管からフレキシブルホース３を経て供給される洗浄水を温水タンク２ｄに適宜補充し、温水タンク２ｄ内の温水はこうして補充される洗浄水により局部洗浄機構２ｂのノズルから噴出される。また、この洋風水洗式便器では、シャワートイレ２の便器洗浄機構２ｅにより、洋風便器本体１を洗浄可能である。
【００１９】
寒冷地等の低温条件下において、使用しない状態が継続されるような場合には、水抜きキャップ２３ｃを外し、連通路２４を開く。これにより、温水タンク２ｂ内及びこれより下流側のノズル等の水路内の洗浄水が水抜きされ、これらの内部における洗浄水の凍結が防止される。これにより、内部の洗浄水の凍結による水路の破壊が防止され、次の好適な使用が可能となる。
【００２０】
こうして、このシャワートイレ２では、給水装置２３の連通路２４が水抜き用に開閉可能であるため、温水タンク２ｄには水抜き用の開口を設ける必要がなく、温水タンク２ｄの構造が簡素化し、製造コストの低廉化を実現できる。
【図面の簡単な説明】
【図１】実施形態の洋風水洗式便器の背後からの斜視図である。
【図２】実施形態の洋風水洗式便器の背後からの拡大斜視図である。
【図３】実施形態の洋風水洗式便器に係り、要部の側面図である。
【図４】実施形態の洋風水洗式便器に係り、給水装置の模式構造図である。
【図５】実施形態の洋風水洗式便器に係り、要部の拡大断面図である。
【符号の説明】
１…洋風便器本体
２…局部洗浄装置（シャワートイレ）
２ｂ…局部洗浄機構
２ｆ…給水機構
２３…給水装置
２ｄ…温水タンク
２４…連通路
２３ｃ…水抜きキャップ
【図１】
0003697380.tif 000002
【図２】
0003697380.tif 000003
【図３】
0003697380.tif 000004
【図４】
0003697380.tif 000005
【図５】
0003697380.tif 000006